(57)【要約】【課題】磁気特性を低下させることなく径方向の大きさを小型化する。【解決手段】巻線２７の端部は、コイルボビン２１の軸方向周縁部に形成された溝部２８ａ，２８ｂを介して軸方向に引き出され、鉄心部材２３ａの切欠部２６を介して巻線２７への通電を制御する制御基板１１に接続されている。これにより、巻線２７はモータの軸方向に引き出されるので、モータ及びポンプの径方向の大きさを小さくできる。また磁気抵抗が増加することによってステータの磁気特性が低下することを防止し、高性能なモータを得ることができる。【選択図】図２
2009225621.tif 000002
【特許請求の範囲】
【請求項１】
周方向に沿ってマグネットを有した回転可能なロータと、前記ロータのマグネットと対向する側に、周方向に沿って等間隔で且つその磁極が交互となるように配置された爪磁極を有するステータとを備えたクローポール型モータであって、
前記ステータは、巻線が巻回された環状のコイルボビンと、軸方向に延出する爪磁極が周方向に複数形成された環状の第１部材と、軸方向に延出する爪磁極と切欠部が周方向に交互に形成された環状の第２部材とを備え、前記第１部材と前記第２部材により前記コイルボビンを挟持する構成を有し、前記切欠部を介して前記巻線を軸方向に引き出す巻線引出部を備えることを特徴とするクローポール型モータ。
【請求項２】
請求項１に記載のクローポール型モータにおいて、前記巻線引出部の外周に設けられたコイルボビンの面上から起立して前記切欠部を介して軸方向に延出するリブ部材を備えることを特徴とするクローポール型モータ。
【請求項３】
請求項２に記載のクローポール型モータにおいて、前記リブ部材が前記切欠部と嵌合することを特徴とするクローポール型モータ。
【請求項４】
請求項１乃至請求項３のうち、いずれか１項に記載のクローポール型モータにおいて、前記コイルボビンの面上から起立して前記切欠部を介して軸方向に延出する脚部を前記巻線への通電を制御する制御基板の位置決め用部材としてコイルボビンの周方向に複数有することを特徴とするクローポール型モータ。
【請求項５】
請求項１乃至請求項４のうち、いずれか１項に記載のクローポール型モータにおいて、前記ロータ及び前記ステータがそれぞれ分離板を挟んで内側及び外側に配置されているインナーロータ構造であることを特徴とするクローポール型モータ。
【請求項６】
請求項１乃至請求項４のうち、いずれか１項に記載のクローポール型モータにおいて、前記ロータ及び前記ステータがそれぞれ分離板を挟んで外側及び内側に配置されているアウターロータ構造であることを特徴とするクローポール型モータ。
【請求項７】
請求項１乃至請求項６のうち、いずれか１項に記載のクローポール型モータにおいて、前記ステータ及び前記巻線への通電を制御する制御基板がモールド樹脂により被覆されていることを特徴とするクローポール型モータ。
【請求項８】
請求項１乃至請求項７のうち、いずれか１項に記載のクローポール型モータを液体を吸排する羽根車の回転駆動源として利用することを特徴とするポンプ。
【発明の詳細な説明】
【技術分野】
【０００１】
本発明は、液体を吸排するポンプを構成する羽根車の回転駆動源として利用して好適な、クローポール型モータに関する。
【背景技術】
【０００２】
従来より、コイルボビンの外周部にコイルボビンに巻回された巻線と接続する端子部を設け、この端子部を介して巻線に通電することにより、ロータの回転駆動力としての吸引反発力を生成するクローポール型モータが知られている（特許文献１，２参照）。
【特許文献１】特許第３１５７４３１号公報
【特許文献２】特許第３８２５０２４号公報
【発明の開示】
【発明が解決しようとする課題】
【０００３】
従来のクローポール型モータによれば、コイルボビンの外周部に端子部が設けられているために以下に示すような問題が生じる。すなわち第１に、モータの径方向の大きさを小さくすることが困難になる。第２に、端子部の位置に合わせてコイルボビンを収容するステータの外壁面に切り欠き構造を形成しなければならないために、磁気抵抗が増加することによってステータの磁気特性が低下する。
【０００４】
本発明は、上記課題を解決するためになされたものであり、磁気特性を低下させることなく径方向の大きさを小型化することが可能なクローポール型モータ及びポンプを提供することにある。
【課題を解決するための手段】
【０００５】
本発明に係るクローポール型モータ及びポンプでは、ステータが、巻線が巻回された環状のコイルボビンと、軸方向に延出する爪磁極が周方向に複数形成された環状の第１部材と、軸方向に延出する爪磁極と切欠部が周方向に交互に形成された環状の第２部材とを備え、第１部材と第２部材によりコイルボビンを挟持する構成を有し、切欠部を介して巻線を軸方向に引き出す巻線引出部を備える。
【発明の効果】
【０００６】
本発明に係るクローポール型モータ及びポンプによれば、磁気特性を低下させることなく径方向の大きさを小型化することができる。
【発明を実施するための最良の形態】
【０００７】
以下、図面を参照して、本発明に係るクローポール型モータを適用した本発明の実施形態となるポンプの構成について説明する。
【０００８】
〔ポンプの全体構成〕
本発明の実施形態となるポンプは、図１に示すように、液体を吸排する羽根車１と、液体を吸排させる吸入口２及び吐出口３を有するポンプケース４と、羽根車１を回転自在に収容するポンプ室５をポンプケース４と対をなして形成する分離板６と、羽根車１を回転駆動させるマグネット７を有したロータ８と、ロータ８に回転駆動力を伝達する爪磁極を有するステータ１０と、ステータ１０に発生させる磁界を制御する制御基板１１とを備えるクローポール型モータを駆動源としている。すなわち本発明の実施形態となるポンプは、分離板６を挟んで内側及び外側にそれぞれロータ８及びステータ１０を配置した、いわゆるインナー型ロータ構造のクローポール型モータを駆動源としたポンプ構造となっている。ポンプ室５は、天面中央に開口された吸入口２と側壁に設けられた吐出口３とを有したポンプケース４に、ロータ８とステータ１０を水密状態に分離（ポンプ部とモータ部を分離）する分離板６が結合されることにより形成されている。ポンプケース４と分離板６の結合部分には、ポンプ部とモータ部を水密状態に仕切るためにシール部材９を介在させている。
【０００９】
ロータ８は、羽根車１に一体的に設けられた円筒体として形成され、その円筒部の外壁に磁気回路（磁束）を構成するマグネット７を設けている。ロータ８は、ポンプケース４に設けられた軸支え部１２と分離板６に設けられた軸支え部１３に各端部を挿入嵌合させた固定軸１４に対して、軸受け部１５を介して回転自在に支承されている。固定軸１４は、その両端側に取り付けられた回り止め板１６，１７により回転不可能とされている。マグネット７と分離板６との間にはロータ８の回転時に接触しない程度の隙間（クリアランス）が確保されている。羽根車１は、ロータ８と一体化されていることから固定軸１４を中心に回転し、吸入口２からポンプ室５内へと吸い込んだ液体に遠心力を与えて吐出口３からポンプ外へと排出する。
【００１０】
ステータ１０は、ロータ８の外側に分離板６を挟んで対向配置されている。ステータ１０は分離板６に対して面接触させている。ロータ８と分離板６との間にはクリアランスを設けたが、ステータ１０と分離板６との間にはクリアランスを設けることなく面接触状態で接触させている。これにより巻線２７に通電することで発生した磁界を爪磁極からロータ８へと効率良く伝達することができる。ステータ１０は、図２に示すように、ロータ８が収納されるロータ収納孔Ｈを有する環状のコイルボビン２１と、ロータ収納孔Ｈに対向する爪磁極２２と切欠部２６を周方向に複数有する圧粉鉄心により形成した鉄心部材２３ａと、ロータ収納孔Ｈに対向する爪磁極２２を周方向に複数有する圧粉鉄心により形成した鉄心部材２３ｂにより構成されている。ステータ１０は、爪磁極２２と内壁部２４により形成される鉄心部材２３ｂの溝部２５にコイルボビン２１を収容し、鉄心部材２３ａ側の爪磁極２２と鉄心部材２３ｂ側の爪磁極２２が周方向に交互に並ぶように鉄心部材２３ａと鉄心部材２３ｂを重ね合わせることにより、鉄心部材２３ａ，２３ｂによりコイルボビン２１を挟持した構成になっている。
【００１１】
コイルボビン２１の外周部には巻線２７が巻回されている。巻線２７の端部は、図２に示すように、コイルボビン２１の軸方向周縁部に形成された溝部２８ａ，２８ｂを介して軸方向に引き出され、鉄心部材２３ａの切欠部２６を介して巻線２７への通電を制御する制御基板１１に接続されている。このような構成によれば、巻線２７はモータの軸方向に引き出されるので、モータ及びポンプの径方向の大きさを小さくできる。またコイルボビン２１の外周部に巻線２７を引き出すための端子部がなく、端子部の位置に合わせてステータ１０の外壁面に切り欠き構造を形成する必要が無いので、磁気抵抗が増加することによってステータ１０の磁気特性が低下することを防止し、高性能なモータを得ることができる。
【００１２】
コイルボビン２１の巻線２７が引き出されている部位の外周部には図３に示すようにコイルボビン２１の面上から起立して切欠部２６を介して軸方向に延出する絶縁部材からなるリブ部材２９を巻線２７の引出部分を囲うように設けるとよい。このような構成によれば、鉄心部材２３ａと鉄心部材２３ｂ間の絶縁性が確保され、安全性が向上する。なおこの際、組立時にリブ部材２９が切欠部２６に嵌合するようにリブ部材２９及び切欠部２６の大きさ及び形状を設計することが望ましい。このような構成によれば、部品点数を増加させることなく部品間の位置合わせを容易に行うことができるので、低コストで組立性を向上させることができる。またこの際、図４に示すように、コイルボビン２１の面上から起立して切欠部２６を介して軸方向に延出する複数の脚部３０ａ，３０ｂ，３０ｃを巻線２７への通電を制御する制御基板１１の位置決め用部材としてコイルボビン２１の周方向に形成してもよい。このような構成によれば、部品点数を増加させることなく部品間の位置合わせを容易に行うことができるので、低コストで組立性を向上させることができる。
【００１３】
制御基板１１は、分離板６の背面に設けられ、図示を省略する位置検出センサからの信号を受けて巻線２７で発生した磁界を制御する。またこのポンプでは、ポンプケース４を除いた部位全体がモールド樹脂４０で覆われている。つまり、分離板６とステータ１０と制御基板１１とがモールド樹脂４０で被覆され、耐水性の向上を図ると共に強度を確保している。このように構成されたポンプにおいては、巻線２７への通電により発生する磁界が爪磁極２２からマグネット７へと伝達されることによりマグネット７が吸引反発することで、ロータ８と一体的に設けられた羽根車１が固定軸１４を中心として回転する。この羽根車１の回転に伴いポンプ作用が発生し、液体が吸入口２よりポンプ室５内へと吸込まれ、ポンプ室５内で加圧され周囲方向へ圧送された液体は吐出口３からポンプ外へと吐出される。
【００１４】
以上、本発明者らによってなされた発明を適用した実施の形態について説明したが、この実施の形態による本発明の開示の一部をなす論述及び図面により本発明は限定されることはない。例えば、本実施形態は本発明に係るクローポール型モータをインナー型ロータ構造のクローポール型モータを駆動源としたポンプに適用したものであるが、本発明はこの実施形態に限られることはなく、図５に示すような、分離板６を挟んで外側にロータ８を配置し且つ内側にステータ１０を配置したアウター型ロータ構造のクローポール型モータを駆動源としたポンプにも適用することができる。このように、上記実施の形態に基づいて当業者等によりなされる他の実施の形態、実施例及び運用技術等は全て本発明の範疇に含まれることは勿論であることを付け加えておく。
【図面の簡単な説明】
【００１５】
【図１】本発明の実施形態となるポンプの構成を示す断面図である。
【図２】本発明の実施形態となるステータの構成を示す分解斜視図である。
【図３】図２に示すステータの変形例の構成を示す分解斜視図である。
【図４】図３に示すステータの応用例の構成を示す分解斜視図である。
【図５】本発明の他の実施形態となるポンプの構成を示す断面図である。
【符号の説明】
【００１６】
１：羽根車
２：吸入口
３：吐出口
４：ポンプケース
５：ポンプ室
６：分離板
７：マグネット
８：ロータ
９：爪磁極
１０：ステータ
１１：制御基板
２１：コイルボビン
２２：爪磁極
２３ａ，２３ｂ：鉄心部材
２４：内壁部
２５：溝部
２６：切欠部
２７：巻線
２８ａ，２８ｂ：溝部
２９：リブ部材
３０ａ，３０ｂ，３０ｃ：脚部
【図１】
2009225621.tif 000003
【図２】
2009225621.tif 000004
【図３】
2009225621.tif 000005
【図４】
2009225621.tif 000006
【図５】
2009225621.tif 000007